(57)【要約】【課題】プレキャストコンクリート床板の橋桁上への敷設や運搬の際に接合段部が破損しない、プレキャストコンクリート床板およびその敷設方法を提供することである。【解決手段】高架橋用のプレキャストコンクリート床板１は、コンクリート板４の長辺方向の両側部に接合段部５が形成され、該接合段部５の段差面６には先端部側が上向きに傾斜して所定の角度をもった連結筋７が適宜間隔ごとに突出され、前記接合段部５は連結筋７よりも短いことを特徴とするものである。【選択図】    図１
2004162293.tif 000002
【特許請求の範囲】
【請求項１】
コンクリート板の長辺方向の両側部に接合段部が形成され、該接合段部の段差面には、先端部側が上向きに傾斜した連結筋が適宜間隔ごとに突出され、前記接合段部は連結筋よりも短いことを特徴とする高架橋用のプレキャストコンクリート床板。
【請求項２】
適宜間隔ごとに設置された橋桁上に請求項１のプレキャストコンクリート床板を、その長辺側が橋桁の長さ方向と直交するように設置した後、他の請求項１のプレキャストコンクリート床板を、一方の長辺側が下側になるように傾斜させて、その接合段部を既に設置された請求項１のプレキャストコンクリート板の連結筋の下側から差し込んで橋桁上に設置することを特徴とする高架橋用のプレキャストコンクリート床板の敷設方法。
【請求項３】
連結筋はＵ形またはＬ形であることを特徴とする請求項２に記載の高架橋用の高架橋用のプレキャストコンクリート床板の敷設方法。
【発明の詳細な説明】
【０００１】
【発明の属する技術分野】
本発明は高架橋用のプレキャストコンクリート床板およびその敷設方法に関するものである。
【０００２】
【従来の技術】
従来の高架橋用のプレキャストコンクリート床板およびその敷設方法として、特開２００１−１３２１４９号公報の発明がある。このプレキャストコンクリート床板は両方の長辺側から連結筋が突出され、かつ一方の長辺側のみから接合段部が突設された構成になっている。この接合段部は他のプレキャストコンクリート床板を接合しやすいように長めに形成されている。
【０００３】
【特許文献１】
特開２００１−１３２１４９号公報（図１２）
【０００４】
【発明が解決しようとする課題】
しかし、この接合段部は長めに形成されているため耐力がなく、橋桁上への敷設または運搬の際に破損しやすくなっていた。
【０００５】
本発明はこれらの問題に鑑みてなされたものであり、その目的は、プレキャストコンクリート床板の橋桁上への敷設や運搬の際に接合段部が破損しない、プレキャストコンクリート床板およびその敷設方法を提供することである。
【０００６】
【課題を解決するための手段】
以上の課題を解決するための高架橋用のプレキャストコンクリート床板は、コンクリート板の長辺方向の両側部に接合段部が形成され、該接合段部の段差面には先端部側が上向きに傾斜して所定の角度をもった連結筋が適宜間隔ごとに突出され、前記接合段部は連結筋よりも短いことを特徴とする構成である。
また高架橋用のプレキャストコンクリート床板の敷設方法は、適宜間隔ごとに設置された橋桁上に請求項１のプレキャストコンクリート床板を、その長辺側が橋桁の長さ方向と直交するように設置した後、他の請求項１のプレキャストコンクリート床板を、一方の長辺側が下側になるように傾斜させて、その接合段部を既に設置された請求項１のプレキャストコンクリート板の連結筋の下側から差し込んで橋桁上に設置することを特徴とする構成であり、連結筋はＵ形またはＬ形であることを含むものである。
【０００７】
上記のように接合段部は両側部から突設され、かつ連結筋よりも短いために耐力が増して、橋桁上への設置や運搬の際に破損しにくくなった。
また連結筋は先端部側が上向きに傾斜して所定の角度をもっているため、既に敷設されたプレキャストコンクリート床板の連結筋に邪魔されずに、他のプレキャストコンクリート床板を敷設することができる。
また連結筋をＬ形にしたことにより、プレキャストコンクリート床板の接合部に連結用の主鉄筋を配筋した後に折り曲げて連結用のループを形成することができる。
【０００８】
【発明の実施の形態】
以下、本発明の高架橋用のプレキャストコンクリート床板（以下ＰＣ床板という）およびその敷設方法の実施の形態について説明する。はじめにＰＣ床板の実施の形態について説明し、その後にＰＣ床板の敷設方法について説明する。また各実施の形態において同じ構成は同じ符号を付して説明し、異なった構成にのみ異なった符号を付して説明する。
【０００９】
図１は第１の実施の形態のＰＣ床板１である。このＰＣ床板１は上面にトラス筋２が突設され、かつトラス筋２間に位置決め孔３が開口されたコンクリート板４と、長辺方向の両側部に突設した接合段部５と、該接合段部５の段差面６に適宜間隔ごとに突出された連結筋７とから構成されている。
【００１０】
トラス筋２は三角形状に配置された一本の上端筋８と二本の下端筋９とが波形のラチス筋１０で接合した三角トラスであり、コンクリート板４の長辺方向に沿って配筋されている。これは三角トラスに限らず、一本の上端筋と一本の下端筋とがラチス筋で接合されたトラス筋（図示せず）であってもよい。
【００１１】
また連結筋７はＵターン状に折り曲げられたものの先端側が上側に傾斜して、接合段部５に対して所定の角度をもって形成されている。一方、コンクリート板４の長辺方向の両側部に突出され接合段部５は、連結筋７よりも短く形成され、他の接合段部と一体になって接合部が形成できる長さになっている。
【００１２】
また図２は第２の実施の形態のＰＣ床板１２である。第１の実施の形態のＰＣ床板１が、いわゆるハーフＰＣ床板であるのに対して、このＰＣ床板１２は、いわゆるフルＰＣ床板といわれるものであり、トラス筋２がコンクリート板４内に埋設された以外は、第１の実施の形態のＰＣ床板１と同じ構成であり、同じ効果を奏するものである。
【００１３】
なお、第１および２の実施の形態のＰＣ床板１、１２の連結筋７はいずれもＵターン状に折り曲げ形成されたものであるが、図３に示すように、Ｌ字形に形成して、ＰＣ床板１３の接合時に折り曲げ形成してもよい。
【００１４】
次に、上記のＰＣ床板の敷設方法について説明する。このＰＣ床板１は高架橋の構築に使用するものであり、鋼製の橋桁１４上に長辺方向を直交させた状態で設置するものである。
【００１５】
はじめに、図４の（１）に示すように、ＰＣ床板１をクレーンで吊り上げ、位置決め孔３にスタッドボルト１５が入るように橋桁１４上に敷設する。次に、他のＰＣ床板１を前記と同様に吊り上げるとともに、一方の長辺方向が下側になるように傾斜させて、接合段部５を既に設置されているＰＣ床板１の連結筋７の下側に挿入させる。このとき互いの連結筋７が接合段部５に対して所定の角度をもって傾斜しているため、接合段部５を対向するＰＣ床板１の連結筋７に当てずに、その下側に差し込むことができる。
【００１６】
このように接合段部５を対向したＰＣ床板１の連結筋７の下側に差し込むと、接合部１６と連結ループ１７とが同時に形成され、この連結ループ１７内に主鉄筋１８を配筋する。次に、このように連続的に敷設されたＰＣ床板１上に現場打ちコンクリート（図示せず）を打設する。
【００１７】
図５はＬ形の連結筋７を備えたＰＣ床板２０を使用した第２の実施の形態の敷設方法であり、ＰＣ板２０を敷設した後に、Ｌ形の連結筋７をＵターン状に折り曲げる以外は、第１の実施の形態の敷設方法と同じ構成である。
【００１８】
なお、第２の実施の形態のＰＣ板１２を使用した敷設方法も、上記の敷設方法と同じであり、同じ効果を奏するものである。
【００１９】
【発明の効果】
ＰＣ床板の橋桁上への敷設や運搬の際に接合段部の破損を防ぐことができる。
【００２０】
ＰＣ床板を橋桁上へ簡単に設置することができる。
【図面の簡単な説明】
【図１】第１の実施の形態のＰＣ床板を示し、（１）は平面図、（２）は（１）のＡ−Ａ線断面図である。
【図２】第２の実施の形態のＰＣ床板を示し、（１）は平面図、（２）は（１）のＢ−Ｂ線断面図である。
【図３】他の実施の形態のＰＣ床板の断面図である。
【図４】（１）〜（３）は第１の実施の形態のＰＣ床板の敷設方法の断面図である。
【図５】（１）〜（３）は第２の実施の形態のＰＣ床板の敷設方法の断面図である。
【符号の説明】
１、１２、１３、２０  ＰＣ板
２  トラス筋
３  位置決め孔
４  コンクリート板
５  接合段部
６  段差面
７  連結筋
８  上端筋
９  下端筋
１０  ラチス筋
１４  橋桁
１５  スタッドボルト
１６  接合部
１７  連結ループ
１８  主鉄筋
【図１】
2004162293.tif 000003
【図２】
2004162293.tif 000004
【図３】
2004162293.tif 000005
【図４】
2004162293.tif 000006
【図５】
2004162293.tif 000007